(57)【要約】【課題】畦際クラッチを設けながらも、苗植付け装置への苗補給作業性を優れたものにする。【解決手段】運転座席９を後側部分に備えた自走機体１の後部に、複数の植付け機構１５を左右に設定間隔を隔てて配置した複数条植え式の苗植付け装置２を昇降自在に連設し、前記植付け機構１５を左右複数の植付けグループに分け、それら植付けグループそれぞれへの伝動を各別に断続する少数条植え用の畦際クラッチ２３を設け、前記畦際クラッチ２３それぞれを各別に操作するためのクラッチレバー４３を左右２つのレバーグループＧＬ，ＧＲに分け、これらレバーグループＧＬ，ＧＲのうち左側のレバーグループＧＬを前記運転座席９の左側近傍箇所にかつ右側のレバーグループＧＲを運転座席９の右側近傍箇所にそれぞれ配置する。【選択図】        図２
2004357515.tif 000002
【特許請求の範囲】
【請求項１】
運転座席を後側部分に備えた自走機体の後部に、複数の植付け機構を左右に設定間隔を隔てて配置した複数条植え式の苗植付け装置を昇降自在に連設し、前記植付け機構を左右複数の植付けグループに分け、それら植付けグループそれぞれへの伝動を各別に断続する少数条植え用の畦際クラッチを設けてある田植機であって、前記畦際クラッチそれぞれを各別に操作するためのクラッチレバーを左右２つのレバーグループに分け、これらレバーグループのうち左側のレバーグループを前記運転座席の左側近傍箇所にかつ右側のレバーグループを運転座席の右側近傍箇所にそれぞれ配置してある田植機。
【請求項２】
前記クラッチレバーのそれぞれを、クラッチ切り姿勢においてその操作部を前記運転座席の座面よりも上方に突出させるとともにクラッチ入り姿勢において座面よりも下方に引退させる状態に設けてある請求項１記載の田植機。
【請求項３】
前記自走機体に、肥料を貯溜するホッパーとそのホッパーから肥料を繰り出す繰出し装置とを備えた施肥用の繰出し機を前記クラッチレバーよりも後方に位置する状態で支持させてある請求項１又は２記載の田植機。
【請求項４】
前記苗植付け装置に植付け走行に伴い圃場に施肥用の溝を形成するとともに前記繰出し機からの肥料をその溝に投入する作溝器を装備させ、前記繰出し機から繰り出された肥料を前記作溝器に搬送するための気流を発生する送風機を前記ホッパーの下側に入り込み位置する状態で配置してある請求項３記載の田植機。
【請求項５】
前記送風機は、前記自走機体の前側部分に配置させたエンジンに対するマフラーの左右外側に位置する状態でマフラーに向かって開口する吸気口を備えた吸気ダクトを介してマフラー周辺の空気を吸気するものである請求項４記載の田植機。
【請求項６】
前記自走機体の前後方向のほぼ中央位置に前記マフラーを配置してある請求項５記載の田植機。
【発明の詳細な説明】
【０００１】
【発明の属する技術分野】
本発明は、運転座席を後側部分に備えた自走機体の後部に、複数の植付け機構を左右に設定間隔を隔てて配置した複数条植え式の苗植付け装置を昇降自在に連設し、前記植付け機構を左右複数の植付けグループに分け、それら植付けグループそれぞれへの伝動を各別に断続する少数条植え用の畦際クラッチを設けてある田植機に関する。
【０００２】
【従来の技術】
従来の田植機では、畦際クラッチそれぞれを各別に操作するためのクラッチレバーの全部を運転座席の左右一側箇所に、それらの操作部が後輪フェンダーのフェンダー部を貫通して上方に突出する状態に配置していた。（例えば、特許文献１参照。）。
【０００３】
【特許文献１】
特開平１１−８９３４４号公報
【０００４】
【発明が解決しようとする課題】
しかし、上記従来の技術によるときは、後部の苗植付け装置への苗補給時の足場となるフェンダー部をほぼ左右に横断する状態でクラッチレバー列が位置するため、これらがフェンダー部に足を掛ける際の障害となり、苗補給作業を不便なものにしていた。
【０００５】
本発明の目的は、畦際クラッチを設けながらも、苗植付け装置への苗補給作業性を優れたものにする点にある。
【０００６】
【課題を解決するための手段】
請求項１に係る本発明による田植機の特徴・作用・効果は次の通りである。
【０００７】
〔特徴〕
運転座席を後側部分に備えた自走機体の後部に、複数の植付け機構を左右に設定間隔を隔てて配置した複数条植え式の苗植付け装置を昇降自在に連設し、前記植付け機構を左右複数の植付けグループに分け、それら植付けグループそれぞれへの伝動を各別に断続する少数条植え用の畦際クラッチを設けてある田植機であって、前記畦際クラッチそれぞれを各別に操作するためのクラッチレバーを左右２つのレバーグループに分け、これらレバーグループのうち左側のレバーグループを前記運転座席の左側近傍箇所にかつ右側のレバーグループを運転座席の右側近傍箇所にそれぞれ配置してある点にある。
【０００８】
〔作用〕
クラッチレバーを運転座席を挟んで左右に振り分け配置してあるから、フェンダー部でクラッチレバーが占める位置を運転座席の近くにするとともに面積を小さくして、後部の苗植付け装置への苗補給のためにフェンダー部に足を掛けることに対するクラッチレバーによる阻害を少なくすることができる。
【０００９】
〔効果〕
従って、畦際クラッチを設けて、最終の畦際植えを行う前の所定畦際クラッチを切り作動させての少数条植えを行うことにより、畦際植えを全条植えで行ってその畦際植えを良好に行いながらも、クラッチレバーによるフェンダー部への足掛けに対する阻害を少なくして、苗植付け装置への苗補給を作業性性良く行えるようになった。
【００１０】
請求項２に係る本発明による田植機の特徴・作用・効果は次の通りである。
【００１１】
〔特徴〕
上記請求項１に係る本発明による田植機において、前記クラッチレバーのそれぞれを、クラッチ切り姿勢においてその操作部を前記運転座席の座面よりも上方に突出させるとともにクラッチ入り姿勢において座面よりも下方に引退させる状態に設けてある点にある。
【００１２】
〔作用〕
クラッチレバーを運転座席の左右両脇といった近傍箇所に設けながらも、通常のクラッチ入り姿勢において運転座席の座面よりも下方に引退する状態に設けてあるから、通常時における運転座席に対する着座・離席をクラッチレバーで邪魔することを少なくすることができる。
しかも、クラッチレバーをクラッチ切り姿勢では運転座席の座面よりも上方に突出するように設けてあるから、クラッチレバーが切り姿勢であることを着座運転者が視認し易く、所定の畦際クラッチを切り作動させての植付け作業後に引き続く植付け作業を行う際、切り作動させていた畦際クラッチの入れ忘れを少なくすることができる。
【００１３】
〔効果〕
従って、畦際植えを良好に行う上で畦際クラッチを設けながらも、畦際クラッチ入れ忘れによる植付け不良を極力少なくして、良好な植付け作業を行えるようになった。
【００１４】
請求項３に係る本発明による田植機の特徴・作用・効果は次の通りである。
【００１５】
〔特徴〕
上記請求項１や２に係る本発明による田植機において、前記自走機体に、肥料を貯溜するホッパーとそのホッパーから肥料を繰り出す繰出し装置とを備えた施肥用の繰出し機を前記クラッチレバーよりも後方に位置する状態で支持させてある点にある。
【００１６】
〔作用〕
繰出し機を設けて施肥を植付けと同時に行う場合には、全条植えのときは全条施肥を行う一方、少数条植えのときは植付け条に対応した少数条施肥を行うことが肝要である。つまり、繰出し機に繰出し条数を変更する施肥クラッチを設けてこの施肥クラッチを畦際クラッチと同時にクラッチレバーを操作することで入り切りできるようにする構成が採用される。
上記の点に着目して、クラッチレバーを繰出し機ではなく繰出し機の前方に配置してあるから、施肥有り仕様と施肥無し仕様とを繰出し機の着脱で現出する場合、いずれの仕様の場合でもクラッチレバーを自走機体に常備させて、施肥有り仕様のときには、クラッチレバーに繰出し機を連動させ、施肥無し仕様のときにはそのままの状態を維持することで、仕様変更に対応することができる。
【００１７】
〔効果〕
従って、施肥有り仕様と施肥無し仕様との仕様変更を作業性良く、しかも、安価に行えるようになった。
【００１８】
請求項４に係る本発明による田植機の特徴・作用・効果は次の通りである。
【００１９】
〔特徴〕
上記請求項３に係る本発明による田植機において、前記苗植付け装置に植付け走行に伴い圃場に施肥用の溝を形成するとともに前記繰出し機からの肥料をその溝に投入する作溝器を装備させ、前記繰出し機から繰り出された肥料を前記作溝器に搬送するための気流を発生する送風機を前記ホッパーの下側に入り込み位置する状態で配置してある点にある。
【００２０】
〔作用〕
繰出し機から作溝器に肥料を気流搬送するようにしてあるから、繰出し機が自走本機に搭載支持される一方作溝器が苗植付け装置に装着されるといった具合に繰出し機と作溝器とが距離を隔てて位置していても、繰出し機から作溝器に確実に肥料を搬送することができる。
しかも、気流搬送するための気流を発生する送風機をホッパーの下側に入り込み配置させてあるから、送風機を設けながらも、その送風機を設けることで機体の左右幅が不当に大きくなることを防止することができる。
【００２１】
〔効果〕
従って、確実な施肥を行えながらも、コンパクトに構成できるようになった。
【００２２】
請求項５に係る本発明による田植機の特徴・作用・効果は次の通りである。
【００２３】
〔特徴〕
上記請求項４に係る本発明による田植機において、前記送風機は、前記自走機体の前側部分に配置させたエンジンに対するマフラーの左右外側に位置する状態でマフラーに向かって開口する吸気口を備えた吸気ダクトを介してマフラー周辺の空気を吸気するものである点にある。
【００２４】
〔作用〕
送風機がマフラー周辺の暖かい空気を吸気するものであるから、肥料を加熱乾燥させることが期待でき、肥料が湿気て固まることを抑制することができる。
しかも、吸気ダクトの吸気口をマフラーの左右外側からマフラーに向かって開口するように配置してあるから、左右外側から洗浄水を掛けての洗車時に吸気口から空気が吸気ダクト内に洗浄水が侵入することを抑制することができる。
【００２５】
〔効果〕
従って、特別な水処理をその都度行うことなく作業性良く洗車を行えながらも、吸気ダクト内に水が入ることに起因して肥料が湿気ることで湿気て作溝器で固まて作溝器詰りが発生することを極力少なくし、安定した施肥を行えるようになった。
【００２６】
請求項６に係る本発明による田植機の特徴・作用・効果は次の通りである。
【００２７】
〔特徴〕
上記請求項５に係る本発明による田植機において、前記自走機体の前後方向のほぼ中央位置に前記マフラーを配置してある点にある。
【００２８】
〔作用〕
自走機体の前後方向のほぼ中央位置といった自走機体のピッチングなどで水没することが極力少ない箇所にマフラーを配置してあるから、マフラーを可及的に繰出し機に接近配置することで送風機の吸気構成の簡略化・低コスト化を図りながらも、マフラーの水没による排気不良を抑制できる。
【００２９】
〔効果〕
従って、効率の良い吸気の元での施肥を安定良く行いながらも、所期のエンジン作動を良好に維持できるようになった。
【００３０】
【発明の実施の形態】
田植機は、図１、図２に示すように、自走機体１の後部に複数条植え式の苗植付け装置２をリンク機構３を介して昇降自在に連結し、圧油供給に伴い前記苗植付け装置２を上昇させるとともに排油に伴い苗植付け装置２を重量で下降させる油圧シリンダ利用のリフトシリンダ４を設け、植付け走行に伴い各植付け条の左右横脇それぞれに施肥を行う施肥装置を設けて構成されている。
【００３１】
前記自走機体１は、操向用の左右一対の駆動前輪５と左右一対の駆動後輪６とを備えた機体フレーム７の前側部分にエンジン８を搭載し、後側部分に運転座席９を搭載し、前記駆動前輪５を操向操作するためのステアリングハンドル１０と搭乗ステップ１１と前記苗植付け装置２への苗補給時の足場となる駆動後輪６に対する左右のフェンダー部１２ａ同士をカバー板部１２ｂで繋いだ構造の後輪フェンダー１２とを組み付けて構成されている。
前記駆動後輪６は、サスペンションスプリング６Ａで下方に揺動付勢された伝動ケース兼用のスイングアーム６Ｂを介して車軸前方の左右向き軸芯周りで揺動昇降自在に自走機体１に装着されている。
【００３２】
前記苗植付け装置２は、４つの苗のせ部を左右方向に並置形成するとともに左右に設定ストロークで往復移動する苗のせ台１３と、植付け走行に伴い圃場面を滑走して圃場面を整地する左右複数個のフロート１４と、前記苗のせ台１３の移動に連動して各苗のせ部下端の苗取出し口と整地圃場との間で循環作動することで載置苗を植付け単位量ずつ取り出して植え付ける４つの植付け機構１５とを備えている。
【００３３】
前記苗のせ台１３は、苗のせ台１３が移動経路の端部に位置する毎に作動することにより各苗のせ部の載置苗を苗取出し口側に送る縦送りベルト１６を備えている。
前記縦送りベルト１６を駆動する手段は、左右向き軸芯周りに常時回転する駆動アーム１７を左右位置固定状態に設け、前記苗のせ台１３が往復移動経路端に位置する毎に前記駆動アーム１７に蹴られて左右向き軸芯ｘ周り一方向にスプリング１８による付勢力に抗して揺動する受動アーム１９を設け、この受動アーム１９に一方向クラッチ２０を介して連動していて受動アーム１９の一方向への揺動により前記左右向き軸芯ｘ周りで一方向に設定量回転する駆動軸２１を設け、この駆動軸２１から前記縦送りベルト１６の駆動ローラ１６Ａへの伝動を断続する縦送りクラッチ２２を設けて構成されている。つまり、縦送りクラッチ２２を入り作動させておくことにより、苗のせ台１３が往復移動経路端に位置する毎に縦送りベルト１６が定量送り出し回動し、縦送りクラッチ２２を切り作動させておくことにより、苗のせ台１３が往復移動経路端に位置して駆動軸２１が回転しても縦送りベルト１６を停止保持するようになっている。縦送りクラッチ２２は、苗のせ部のうち左側２つのものそれぞれに設けられた縦送りベルト１６を１グループとしてそれへの伝動を断続するものと、右側２つのものそれぞれに設けられた縦送りベルト１６を１グループとしてそれへの伝動を断続するものとの２つである。
【００３４】
前記植付け機構１５は、左側２つのもの、右側２つのものをそれぞれ１つの植付けグループとして植付けグループ毎に駆動されるようになっており、各植付けグループへの伝動系のそれぞれには、植付け機構１５への伝動を植付けグループ毎で各別に断続する畦際クラッチ２３が介装されている。
【００３５】
つまり、苗植付け装置２では、全部の畦際クラッチ２３を入り作動させるとともに全部の縦送りクラッチ２２を入り作動させることにより、４条（全条）植えを行い、左側の畦際クラッチ２３及び左側の縦送りクラッチ２２をそれぞれ入り作動させる一方、右側の畦際クラッチ２３及び右側の縦送りクラッチ２２をそれぞれ切り作動させることにより、左側２条の植付け（少数条植えの一例）を行い、右側の畦際クラッチ２３及び右側の縦送りクラッチ２２をそれぞれ入り作動させる一方、左側の畦際クラッチ２３及び左側の縦送りクラッチ２２をそれぞれ切り作動させることにより、右側２条の植付け（少数条植えの一例）を行うようになっている。
【００３６】
前記施肥装置は、機体走行（植付け走行）に伴い粉粒状の肥料を繰り出す繰出し機２４を設け、機体走行に伴い圃場に４つの施肥用溝を植付け条の横脇に位置する状態で形成するとともに前記繰出し機２４から搬送されてくる肥料をその形成した施肥用溝に投入する左右４つの作溝器２５を前記苗植付け装置２に装着し、前記繰出し機２４から繰り出された肥料を前記作溝器２５に搬送する搬送手段を設けて構成されている。
【００３７】
前記繰出し機２４は、前記自走機体１に前記運転座席９よりも後方に位置する状態で搭載支持されており、底部に２つの排出用のロート２６が左右に並置形成された肥料貯溜用のホッパー２７を設け、このホッパー２７の各ロート２６の下部排出口２６Ａそれぞれに下部排出口２６Ａから２条分の肥料を分けて繰り出す繰出し装置２８を接続連結して構成されている。なお、各ロート２６の下部排出口２６Ａは、ロート２６の左右中心よりも右側に偏り配置する状態に形成されている。
【００３８】
前記搬送手段は、電動型の送風機２９で発生させた気流で前記繰出し機２４から繰り出された肥料を搬送する気流搬送手段であって、前記送風機２９と、この送風機２９で発生した気流を繰出し機２４に案内する送風ダクト３０と、繰出し機２４から各作溝器２５に気流、つまり、肥料を案内する供給管３１とから構成されている。前記送風機２９は、前後向き軸芯周りに起風羽根を回転させることにより気流を発生させてその接線方向の左右内方に吐出する遠心式のものであり、その後方開放の入口に接続させた吸気ダクト３２を介して吸気するものである。そして、前記ホッパー２７のうち左側のロート２６の左側下部には、十分な左右幅を備えた空間が形成されていることに着目して、ホッパー２７の左側端部の下側、つまり、左側のロート２６の下側のうち下部排出口２６Ａの左側部分に入り込み位置してその左側のロート２６の下部排出口２６Ａに左右方向で接近する状態に配置されている。
【００３９】
前記繰出し装置２８の全部は同一構造のものであって、前記ロート状排出部２６への連通接続部と、前記送風ダクト３０に差し込み接続して送風機２９から送られてきた気流を受け入れる筒状の左右一対の気流受入れ口３３と、前記供給管３１に差し込み接続して肥料混入気流を供給管３１に送り出す筒状の左右一対の排出口３４とを備えた繰出しケース３５を設け、この繰出しケース３５に、左右向き軸芯ｘ２周りに回転することでロート状排出部２６から肥料を繰出す繰出しロール３６を内装するとともに、繰出しロール３６への１条分ずつの肥料供給路のそれぞれを開閉するシャッター機構を組み付けて構成されている。
前記繰出しロール３６の駆動手段は、前記苗植付け装置２への伝動系にクランク機構３７を介して連動する繰出し駆動軸３８を設け、この繰出し駆動軸３８と各繰出しロール３６とを連動させるギヤ列３９を設け、前記繰出し駆動軸３８とギヤ列３９との間に施肥クラッチ４０を介装して構成されている。
前記シャッター機構は、肥料供給路の半分を開閉する第１シャッター４１と、肥料供給路の残りの半分を開閉する第２シャッター４２とを備えている。
【００４０】
そして、左側の繰出し装置２８の排出口３４のそれぞれに左側２つの作溝器２５への供給管３１を接続させ、右側の繰出し装置２８の排出口３４のそれぞれに右側２つの作溝器２５への供給管３１を接続させるのである。
【００４１】
従って、
〔１〕２つの施肥クラッチ４０をともに入り作動させるとともに、２つのシャッター機構を開放することにより、４つの作溝器２５全部に肥料を供給して、全条施肥を行い、
〔２〕左側の施肥クラッチ４０を入り作動させるとともに、左側のシャッター機構を開放することにより、左側２つの作溝器２５に肥料を供給して、左側２条の施肥を行い、
〔３〕右側の施肥クラッチ４０を入り作動させるとともに、右側のシャッター機構を開放することにより、右側２つの作溝器２５に肥料を供給して、右側２条の施肥を行うようになっている。
【００４２】
もちろん、第１シャッター４１及び第２シャッター４２をともに開放することにより全量施肥を行い、第１シャッター４１又は第２シャッター４２のいずれか一方のみを開放することにより半量施肥を行うようになっている。
【００４３】
なお、畦際クラッチ２３と縦送りクラッチ２２と施肥クラッチ４０の全ては、図示しないが、スプリングにより入り付勢されている。
【００４４】
そして、入り姿勢から切り姿勢に左右向き軸芯周りに揺動操作されることにより、それぞれ同じ側の縦送りクラッチ２２・畦際クラッチ２３・施肥クラッチ４０を付勢に抗して入り状態から切り状態に一括的に切り換える左右のクラッチレバー４３が、左側のクラッチレバー４３を左側のレバーグループＧＬとしかつ右側のクラッチレバー４３を右側のレバーグループＧＲとして設けられている。そして、左側のレバーグループ（つまり、左側のクラッチレバー４３）ＧＬは、前記運転座席９の左側近傍箇所に配置されており、右側のレバーグループ（つまり、右側のクラッチレバー４３）ＧＲは、運転座席９の右側近傍箇所に配置されている。従って、前記繰出し機２４は、クラッチレバー４３よりも後方に位置することになる。
【００４５】
加えて、前記クラッチレバー４３のそれぞれは、基端部を運転座席９よりも下方に位置させる一方、前記後輪フェンダー１２に形成した長孔４４を通して操作部４３ａを後輪フェンダー１２よりも上方に位置させるものであって、クラッチ切り姿勢において起立して操作部４３ａを運転座席９の座面９ａよりも上方に突出させかつクラッチ入り姿勢において倒伏して操作部４３ａを座面９ａよりも下方に引退させる状態に設けられている。また、クラッチレバー４３を揺動自在に支持する枢支部、つまり、クラッチレバー４３の基端部は、平面視において運転座席９の左右側端よりも内方に入り込み配置されている。
【００４６】
前記エンジン８に排気管４４を介して接続するマフラー４５は、前記自走機体１の前後方向のほぼ中央位置、具体的には、前記駆動後輪６の前側部分の左右内側に重なる位置で駆動後輪６のサスペンションスプリング６Ａよりもやや前方の前後位置で、かつ、サスペンションスプリング６Ａよりも左右内側の左右位置にテールパイプ４５Ａを後方に突出させる前後向き姿勢で配置されている。つまり、前記送風機２９の前方斜め下方に配置されている。また、前記テールパイプ４５Ａの排気口４５ａは、サスペンションスプリング６Ａへの排気の吹き付けを防止するためにサスペンションスプリング６Ａとは反対側の左右内側斜め後方に向かって排気するように開口している。
【００４７】
そして、前記吸気ダクト３２は、前記マフラー４５の左右外側に位置する状態でマフラー４５に向かって開口する吸気口３２ａを備えている。つまり、送風機２９は、マフラー４５周辺の暖かい空気を吸気するものであって、それにより、繰出し肥料を搬送中に加熱乾燥することで肥料が湿気て固まることを抑制し、作溝器２５での肥料詰まりを抑制するようにしている。
【００４８】
前記クラッチレバー４３に、縦送りクラッチ２２・畦際クラッチ２３・施肥クラッチ４０を連動させる手段は、一端が二股状で一方の一端が縦送りクラッチ２２に他方の一端が畦際クラッチ２３にそれぞれ連動連結するとともに他端がクラッチレバー４３に連動連結する第１ワイヤ５０を設け、一端が施肥クラッチ４０に連動連結するとともに他端がクラッチレバー４３に連動連結する第２ワイヤ５１を設けて構成されており、第２ワイヤ５１をクラッチレバー４３から離脱させることにより、繰出し機２４を自走機体１から外せるのである。つまり、第２ワイヤ５１を設けないことで、縦送りクラッチ２２及び畦際クラッチ２３をクラッチレバー４３に連動連結させながらも、施肥装置を持たない施肥無し仕様の田植機に対応できるのである。
【００４９】
〔別実施形態〕
上記実施の形態では、４条植え式の田植機を示したが、本発明は、５条植え式、６条植え式、８条植え式など各種植付け条の田植機に適用することができる。例えば、５条植え式に適用した場合、左２条の植付け機構１５と、右２条の植付け機構１５と、中央１条の植付け機構１５とが各植付けグループとなり、左側の植付けグループに対するクラッチレバー４３が左側のレバーグループとなり、中央の植付けグループに対するクラッチレバー４３及び右側の植付けグループに対するクラッチレバー４３が右側のレバーグループとなる。
【００５０】
上記実施の形態では、２つの植付け機構１５に対して１つの畦際クラッチ２３を設けて実施したが、本発明は、１つの植付け機構１５に対して１つの畦際クラッチ２３を設けて実施しても良い。
【図面の簡単な説明】
【図１】田植機の全体側面図
【図２】田植機の全体平面図
【図３】運転座席回りの正面図
【図４】苗縦送り駆動部の側面図
【図５】苗植付け装置における伝動系の概略を示す平面図
【図６】施肥装置における繰出し機の側面図
【図７】施肥装置における繰出し機の背面図
【図８】施肥装置における繰出し装置の縦断側面図
【図９】施肥装置における繰出し装置の縦断背面図
【図１０】運転座席回りの側面図
【図１１】機体構造と施肥装置との関係を示す側面図
【図１２】機体構造と施肥装置との関係を示す平面図
【符号の説明】
９          運転座席
１          自走機体
１５        植付け機構
２          苗植付け装置
２３        畦際クラッチ
４３        クラッチレバー
ＧＬ        レバーグループ
ＧＲ        レバーグループ
４３ａ      操作部
９ａ        座面
２７        ホッパー
２８        繰出し装置
２４        繰出し機
２５        作溝器
２９        送風機
８          エンジン
４５        マフラー
３２ａ      吸気口
３２        吸気ダクト
【図１】
2004357515.tif 000003
【図２】
2004357515.tif 000004
【図３】
2004357515.tif 000005
【図４】
2004357515.tif 000006
【図５】
2004357515.tif 000007
【図６】
2004357515.tif 000008
【図７】
2004357515.tif 000009
【図８】
2004357515.tif 000010
【図９】
2004357515.tif 000011
【図１０】
2004357515.tif 000012
【図１１】
2004357515.tif 000013
【図１２】
2004357515.tif 000014